(57)【要約】【課題】  毛髪のクセ付けを容易且つ確実に行うことができるヘアドライヤー用アタッチメントを提供する。【解決手段】  ヘアドライヤーの吹出口に着脱可能に装着されるヘアドライヤー用アタッチメント１であって、前記吹出口への装着部１４を基端側に有し先端側が開口する筒状のフード部材１０と、フード部材１０の内部に、フード部材１０の内面との間に隙間が生じるように同軸状に支持された筒状の保持部材２０とを備え、保持部材２０は、外周面に多数の通気孔２２を有しており、フード部材１０に供給される温風Ｗ１の一部が保持部材２０に導入されて、通気孔２２を介して、保持部材２０の外部を流れる温風Ｗ２と合流するように構成されている。【選択図】  図２
2017164391.tif 000002
【特許請求の範囲】
【請求項１】
ヘアドライヤーの吹出口に着脱可能に装着されるヘアドライヤー用アタッチメントであって、
前記吹出口への装着部を基端側に有し先端側が開口する筒状のフード部材と、
前記フード部材の内部に、前記フード部材の内面との間に隙間が生じるように支持された筒状の保持部材とを備え、
前記保持部材は、外周面に複数の通気孔を有しており、前記フード部材に供給される温風の一部が前記保持部材に導入されて、前記通気孔を介して、前記保持部材の外部を流れる温風と合流するように構成されたヘアドライヤー用アタッチメント。
【請求項２】
前記フード部材の内部における前記装着部と前記保持部材との間に、温風の流れを整流する整流部材が設けられた請求項１に記載のヘアドライヤー用アタッチメント。
【請求項３】
前記整流部材は、網材からなる整流筒を備えており、
前記整流筒は、基端側が前記装着部に接続され、先端側が前記保持部材の内部に連通する請求項２に記載のヘアドライヤー用アタッチメント。
【請求項４】
前記整流筒は、先端側に蓋部を有する有蓋無底の円筒状に形成されている請求項３に記載のヘアドライヤー用アタッチメント。
【請求項５】
前記蓋部は、操作部材の操作により開閉可能な開閉蓋である請求項４に記載のヘアドライヤー用アタッチメント。
【請求項６】
前記整流筒は、円筒状に形成され外周面に開口部を有する基体の内部に挿入される請求項４に記載のヘアドライヤー用アタッチメント。
【請求項７】
請求項１から６のいずれかに記載のヘアドライヤー用アタッチメントが装着されたヘアドライヤーを用いてヘアウェーブを形成する方法であって、
毛髪を前記フード部材に挿入して前記保持部材の外周面に係合させた状態で、前記フード部材に温風を供給するヘアウェーブ形成方法。
【発明の詳細な説明】
【技術分野】
【０００１】
本発明は、ヘアドライヤー用アタッチメント及びヘアウェーブ形成方法に関する。
【背景技術】
【０００２】
パーマネントウェーブをかけた毛髪は、濡れた状態でヘアドライヤーにより強風を当てるとウェーブを伸ばしてしまうおそれがある一方、ヘアドライヤーの風量調節により弱風にすると、乾燥するまでに長時間を要するという問題がある。このため、ヘアドライヤーの大風量を維持したまま流れを拡散させることにより、風速を低下させるヘアドライヤー用のアタッチメントが従来から知られている（例えば、特許文献１の背景技術）。
【先行技術文献】
【特許文献】
【０００３】
【特許文献１】特開２０１５−２４１３７号公報
【発明の概要】
【発明が解決しようとする課題】
【０００４】
ところが、従来のヘアドライヤー用アタッチメントは、吹出口からの温風が微風の状態で周囲に拡がることにより温度低下が生じやすいため、毛髪の乾燥に時間がかかるだけでなく、所望のウェーブ形状を得るのが困難であった。
【０００５】
そこで、本発明は、毛髪のクセ付けを容易且つ確実に行うことができるヘアドライヤー用アタッチメント及びヘアウェーブ形成方法の提供を目的とする。
【課題を解決するための手段】
【０００６】
本発明の前記目的は、ヘアドライヤーの吹出口に着脱可能に装着されるヘアドライヤー用アタッチメントであって、前記吹出口への装着部を基端側に有し先端側が開口する筒状のフード部材と、前記フード部材の内部に、前記フード部材の内面との間に隙間が生じるように支持された筒状の保持部材とを備え、前記保持部材は、外周面に複数の通気孔を有しており、前記フード部材に供給される温風の一部が前記保持部材に導入されて、前記通気孔を介して、前記保持部材の外部を流れる温風と合流するように構成されたヘアドライヤー用アタッチメントにより達成される。
【０００７】
このヘアドライヤー用アタッチメントは、前記フード部材の内部における前記装着部と前記保持部材との間に、温風の流れを整流する整流部材が設けられることが好ましい。前記整流部材は、網材からなる整流筒を備えることが好ましい。前記整流筒は、基端側が前記装着部に接続され、先端側が前記保持部材の内部に連通することが好ましい。前記整流筒は、先端側に蓋部を有する有蓋無底の円筒状に形成されていることが好ましい。前記蓋部は、操作部材の操作により開閉可能な開閉蓋であることが好ましく、或いは、前記整流筒は、円筒状に形成され外周面に開口部を有する基体の内部に挿入されることが好ましい。
【０００８】
また、本発明の前記目的は、上記のヘアドライヤー用アタッチメントが装着されたヘアドライヤーを用いてヘアウェーブを形成する方法であって、毛髪を前記フード部材に挿入して前記保持部材の外周面に係合させた状態で、前記フード部材に温風を供給するヘアウェーブ形成方法により達成される。
【発明の効果】
【０００９】
本発明によれば、毛髪のクセ付けを容易且つ確実に行うことができるヘアドライヤー用アタッチメント及びヘアウェーブ形成方法を提供することができる。
【図面の簡単な説明】
【００１０】
【図１】本発明の一実施形態に係るヘアドライヤー用アタッチメントの使用方法を説明するための側面図である。
【図２】前記ヘアドライヤー用アタッチメントの縦断面図である。
【図３】前記ヘアドライヤー用アタッチメントの正面図である。
【図４】前記ヘアドライヤー用アタッチメントを用いたヘアウェーブ形成方法を説明するための縦断面図である。
【図５】本発明の他の実施形態に係るヘアドライヤー用アタッチメントの縦断面図である。
【図６】本発明の更に他の実施形態に係るヘアドライヤー用アタッチメントの縦断面図である。
【図７】図６のＡ−Ａ横断面図である。
【図８】本発明の更に他の実施形態に係るヘアドライヤー用アタッチメントの横断面図である。
【図９】本発明の更に他の実施形態に係るヘアドライヤー用アタッチメントの横断面図である。
【図１０】図９に示すヘアドライヤー用アタッチメントの正面図である。
【図１１】図９に示すヘアドライヤー用アタッチメントの分解側面図である。
【図１２】本発明の更に他の実施形態に係るヘアドライヤー用アタッチメントの斜視図である。
【図１３】図１２に示すヘアドライヤー用アタッチメントの横断面図である。
【発明を実施するための形態】
【００１１】
以下、本発明の実施の形態について、添付図面を参照して説明する。図１に示すように、本発明の一実施形態に係るヘアドライヤー用アタッチメント１は、筒状のフード部材１０の基端側に装着部１４を備えており、装着部１４をヘアドライヤー５０の吹出口５２に装着して使用することができる。
【００１２】
図２は、図１に示すヘアドライヤー用アタッチメント１の縦断面図であり、図３は、図２に示すヘアドライヤー用アタッチメント１を先端側から軸線Ｌに沿って見た正面図である。図２及び図３に示すように、ヘアドライヤー用アタッチメント１が備えるフード部材１０は、角部に丸みを有する角筒状に形成されており、基端部が段部１２を介して円筒状の装着部１４に接続されている。装着部１４は、ヘアドライヤーの吹出口５２に着脱可能に外嵌される。段部１２は、装着部１４からフード部材１０に向けて流路断面積が拡がるように形成され、その形状はテーパ状であってもよい。フード部材１０の先端には開口部１６が形成されており、開口部１６から温風が吹き出される。
【００１３】
フード部材１０の内部には、保持部材２０が設けられている。保持部材２０は、基端側が開口し先端側が閉口した円筒状の部材であり、外周部および先端部に多数の通気孔２２が形成されている。通気孔２２は、本実施形態においては、先端部および外周部の双方に形成されており、開口部１６の全体から温風が略均一に吹き出すように構成しているが、筒状の外周部のみに形成されていてもよい。
【００１４】
保持部材２０は、湾曲状の複数の支持片２４を介して、フード部材１０の内面に支持されている。フード部材１０及び保持部材２０は、軸線Ｌが略一致するように同軸状に配置されており、フード部材１０の内面と保持部材２０の外面との間には、保持部材２０の周方向全体にわたって隙間が形成されている。
【００１５】
フード部材１０の内部において、装着部１４と保持部材２０との間には、整流部材３０が設けられている。整流部材３０は、両端が開口する円筒状の基体３２と、基体３２を被覆するように設けられた網材からなる整流筒３６とを備えている。基体３２は、例えば合成樹脂等により形成され、外周面に多数の開口部３４が形成されている。整流筒３６は、基体３２の先端開口及び外周面の全体を網材で覆うようにして形成された有蓋無底の円筒状の部材であり、基端側が基体３２と共に装着部１４に接続されている。整流筒３６の先端側は、保持部材２０の基端側に接続されて、保持部材２０の内部に連通している。
【００１６】
整流部材３０は、吹出口５２から供給される温風による蓄熱を促すため、基体３２をアルミニウム等の金属材料で構成してもよく、あるいは、基体３２と整流筒３６との間にパンチングメタル等を介在させてもよい。また、基体３２を使用せずに、網材を筒状に巻回した整流筒のみから整流部材を構成することも可能である。
【００１７】
整流部材３０は、本実施形態では筒状に形成されており、軸方向に長くすることで、大きな整流面積を確保することができると共に上記の蓄熱効果の向上も期待できる。但し、整流部材３０は、必ずしも筒状である必要はなく、例えば、装着部１４と保持部材２０との間を仕切る平板状の網材、パンチングメタル、エキスパンドメタル等を、整流部材としてもよい。
【００１８】
上記の構成を備えるヘアドライヤー用アタッチメント１は、吹出口５２から供給される温風が整流部材３０により整流され、温風の一部は、整流筒３６の先端から保持部材２０に導入されて、通気孔２２を介してフード部材１０と保持部材２０との隙間に排出される（図２のＷ１）。一方、整流部材３０の開口部３４を介して整流筒３６を通過する温風は、保持部材２０の内部に導入されずに、フード部材１０と保持部材２０との隙間を流れる（図２のＷ２）。この温風Ｗ２は、風量が低下して高温になり、毛髪のクセ付けを短時間で行うのに適した温度（例えば、約８０℃）になる。温風Ｗ１，Ｗ２は、フード部材１０と保持部材２０との隙間で合流し、開口部１６から排出される。
【００１９】
本実施形態のヘアドライヤー用アタッチメント１によれば、ヘアドライヤーから供給される温風の流れが保持部材２０の内部と外部とに分散されると共に、保持部材２０の周囲がフード部材１０により覆われることで温風の拡散が防止され、温風の温度低下を抑制しつつ風速を低下させることができる。したがって、毛髪をフード部材１０に挿入して保持部材２０の外周面に係合させた状態で、温風を供給することにより、ヘアウェーブの形成を容易且つ確実に行うことができる。
【００２０】
例えば、図４（ａ）に示すように、毛髪Ｈの先端部を折り曲げた状態でフード部材１０と保持部材２０との隙間に挿入し、保持部材２０の内外から温風を供給することにより、毛髪に対する部分的なクセ付けを行うことができる。また、図４（ｂ）に示すように、毛髪Ｈを保持部材２０の外周面に巻き付けて、保持部材２０の内外から温風を供給することにより、ボリューム感のあるウェーブ形状を得ることができる。あるいは、図４（ｃ）に示すように、毛髪ＨをヘアカーラＣに巻き付けた後、ヘアカーラＣに保持部材２０を挿入することにより、ヘアカーラＣを介して毛髪Ｈを保持部材２０に間接的に係合させることが可能であり、ヘアウェーブの形成を容易に行うことができる。なお、本実施形態のヘアドライヤー用アタッチメント１は、通常のヘアドライヤーと同様に、開口部１６から吹き出した後の温風を毛髪にあてて使用することも可能であり、例えば、保持部材２０に係合させることが困難なショートヘアのボリュームアップの用途に使用することもできる。保持部材２０は、フード部材１０の内部に挿入した毛髪Ｈと係合可能であればよく、その太さや長さは特に限定されるものではない。
【００２１】
以上、本発明の一実施形態を詳述したが、本発明の具体的な態様は上記実施形態に限定されない。例えば、フード部材１０の形状は、本実施形態では角筒状としているが、円筒状等であってもよい。また、流路断面積の大きさは、軸方向に必ずしも一定である必要はなく、例えば、図５に示すように、フード部材１０を中央部から先端に向けて漸次縮径されるように形成し、フード部材１０と保持部材２０との間に形成される隙間が先端に向けて徐々に狭まるように構成してもよい。この構成によれば、フード部材１０と保持部材２０との間に収容した毛髪Ｈを、隙間が狭まった部分で確実に保持することができるので、毛髪Ｈと保持部材２０との係合状態を容易に維持することができる。また、フード部材１０の内面を中央部から先端に向けて曲線状に形成することで、これに沿って挿入した毛髪Ｈが曲線状となり、ボリューム感のある仕上がりにすることができる。フード部材１０と保持部材２０との間の最小隙間は、毛髪Ｈを保持部材２０の基部まで押し込めるように、指を挿入可能な程度の大きさであることが好ましい。なお、図５において、図１等と同様の構成部分には、同一の符号を付している（以下の図においても同様）。
【００２２】
また、本実施形態では、整流筒３６が、先端側に蓋部を有する有蓋無底の円筒状に形成されているが、この蓋部を、図６および図７に示すように、操作部材４０の操作により開閉可能な開閉蓋４２としてもよい。図６は開閉蓋を有する構成の縦断面図であり、図７は図６のＡ−Ａ横断面図である。図６および図７に示す開閉蓋４２は、半円状に形成された一対の半蓋４２ａ，４２ｂの直線部を接合することにより形成され、それぞれの直線部の一端側がピン４２ｃにより回動自在に支持されている。一対の半蓋４２ａ，４２ｂにおける直線部の他端側には、フード部材１０に形成された切欠部１０ａを介して外方に延出するレバー部材４０ａ，４０ｂが設けられており、これらレバー部材４０ａ，４０ｂによって操作部材４０が構成されている。この構成によれば、開閉蓋４２を閉じた状態から、図７に矢示方向にレバー部材４０ａ，４０ｂを回動させることにより、一対の半蓋４２ａ，４２ｂが破線で示す位置まで回動し、開閉蓋４２を開放することができる。一対の半蓋４２ａ，４２ｂが開位置および閉位置でそれぞれ確実に保持されるように、切欠部１０ａにレバー部材４０ａ，４０ｂと係合する突起部等を設けてもよい。
【００２３】
このように、整流筒３６の蓋部を、操作部材４０の操作により開閉可能な開閉蓋４２とすることで、開閉蓋４２を閉じた状態では、図１等に示すヘアドライヤー用アタッチメント１と同様の効果が得られる一方、開閉蓋４２を開放することにより、ヘアドライヤーから供給される温風が、ほとんど抵抗を受けることなく保持部材２０に導入されて、フード部材１０の開口部１６から排出されるので、通常のヘアドライヤーとして使用することができる。したがって、ヘアドライヤー用アタッチメントをヘアドライヤーに装着したままで種々の用途に使用することができ、ヘアドライヤー用アタッチメントを、作業毎にヘアドライヤーに着脱する煩雑さを解消することができる。
【００２４】
図６に示す構成において、保持部材２０の先端は開放端とされており、複数の通気孔２２ａを有する着脱可能なキャップ２０ａにより覆われている。この構成によれば、開閉蓋４２の開放状態においてキャップ２０ａを取り外すことにより、ヘアドライヤーから保持部材２０に導入された温風の大部分が、保持部材２０の先端を通過してフード部材１０の開口部１６から排出されるため、通常のヘアドライヤーとして使用する場合の使用感を良好にすることができる。保持部材２０の先端を開閉するキャップ２０ａは、開閉蓋４２と同様に構成することも可能であり、操作部材４０の操作と連動して開閉可能に構成することもできる。あるいは、保持部材２０を一対の半筒体により構成して、それぞれを一対の半蓋４２ａ，４２ｂに固定し、一対の半蓋４２ａ，４２ｂの回動と連動して一対の半筒体が回動する構成にすることも可能である。
【００２５】
操作部材４０は、図８に横断面図で示すように、一対の半蓋４２ａ，４２ｂの半円部に取付リングを介して取り付けられた紐状の引上部材４０ｃ，４０ｄにより構成してもよく、これら引上部材４０ｃ，４０ｄをフード部材１０に形成した取出孔１０ｂを介して外部に延出し、それぞれの端部を把手４０ｅに固定した構成であってもよい。この構成によれば、開閉蓋４２を閉じた状態から、図８の矢示方向に把手４０ｅを引き上げることにより、一対の半蓋４２ａ，４２ｂが破線で示す位置まで回動し、開閉蓋４２を開放することができる。なお、図８は、図６および図７に示す構成の変形例であり、図６のＡ−Ａ断面に相当する横断面図である。
【００２６】
また、整流部材３０は、図９および図１０に示すように、先端側に蓋部を有する有蓋無底の円筒状に形成された整流筒３６を、円筒状に形成され外周面に多数の開口部３４を有する基体３２の内部に挿入した構成にすることもできる。この構成によれば、ヘアドライヤーの吹出口５２から整流筒３６の内部に供給された温風の力で整流筒３６が径方向外方に拡がるのを、基体３２の内周面との当接により抑制することができるので、整流筒３６の形状維持が容易であり、耐久性を高めることができる。
【００２７】
図９および図１０に示す構成は、装着部１４および基体３２が一体的に形成されると共に、保持部材２０は支持プレート２５を介して基体３２の先端に固定されることで、保持部材２０および整流部材３０が一体化されている。支持プレート２５は、外縁全体がフード部材１０の内面に当接しており、多数形成された開口部２５ａによって、通気性が確保されている。開口部２５ａの形状や配置は、特に限定されるものではない。
【００２８】
この構成によれば、図１１に示すように、一体化された保持部材２０および整流部材３０を、フード部材１０の開口部１６に矢示方向に挿入してヘアドライヤー用アタッチメント１を製造することができ、製造の容易化および低コスト化を図ることができる。
【００２９】
図１２および図１３は、本発明の更に他の実施形態に係るヘアドライヤー用アタッチメント１の斜視図および横断面図である。図１２および図１３に示すように、保持部材２０は、支持部材２６を介してフード部材１０と一体成形されている。保持部材２０および支持部材２６の外周面には、いずれも貫通孔からなる通気孔２２および通気部２６１がそれぞれ複数形成されている。また、整流部材３０は、装着部１４の内部に一体的に支持されて装着部１４の先端側に先細に膨出する半楕円球状の拡散部３８と、拡散部３８と保持部材２０との間に配置された平板状の基板３２１および整流板３６１とを備えている。拡散部３８の外周面には、長溝状の凹部３８ａが放射状に配置されており、凹部３８ａの両側にスリット３８ｂが形成されている。基板３２１は、蓄熱可能なパンチングメタル等から構成され、整流板３６１は、整流可能な網材等から構成される。
【００３０】
図１２および図１３に示すヘアドライヤー用アタッチメント１は、装着部１４に装着されたヘアドライヤー（図示せず）から供給される温風が、拡散部３８のスリット３８ｂを通過してフード部材１０の内部に拡散された後、整流板３６１および基板３２１を通過して整流され、保持部材２０および支持部材２６の通気孔２２および通気部２６１をそれぞれ通過するため、所望の温風の流れを容易に生じさせることができると共に、製造や組立も容易である。更に、蓄熱可能な基板３２１が、保持部材２０に隣接して配置されることにより、ヘアスタイリングを効果的に行うことができる。
【符号の説明】
【００３１】
１  ヘアドライヤー用アタッチメント
１０  フード部材
１４  装着部
２０  保持部材
２２  通気孔
３０  整流部材
３６  整流筒
４０  操作部材
４２  開閉蓋
【図１】
2017164391.tif 000003
【図２】
2017164391.tif 000004
【図３】
2017164391.tif 000005
【図４】
2017164391.tif 000006
【図５】
2017164391.tif 000007
【図６】
2017164391.tif 000008
【図７】
2017164391.tif 000009
【図８】
2017164391.tif 000010
【図９】
2017164391.tif 000011
【図１０】
2017164391.tif 000012
【図１１】
2017164391.tif 000013
【図１２】
2017164391.tif 000014
【図１３】
2017164391.tif 000015